(57)【要約】【課題】シンプルな構造で簡便且つ確実に分岐口の径方向に伸縮できる係止部を備えた分岐管の閉塞装置を提供すること。【解決手段】挿入方向に形成された回動軸周りに回動可能な回動部７２と、回動部７２の外周側に配置され分岐管６の内面と当接して閉塞可能な閉塞部７９と、回動部７２の先端側において回動可能となるように基端が回動部７２に軸支された係止部７８とを備え、係止部７８の外方に、ガイド部８３が径方向に延設されており、係止部８３は、回動部７２の回動によりガイド部８３に沿って案内されることで、回動部７２の回動中心から係止部７８の先端までの係止寸が分岐口の半径より小寸の縮径状態と、係止寸が分岐口の半径より大寸の拡径状態とに、径方向に伸縮可能に構成されている。【選択図】図９
2008075675.tif 000002
【特許請求の範囲】
【請求項１】
既設管に穿設された分岐口と連通する分岐管内に挿入され、該分岐管内を閉塞する分岐管の閉塞装置であって、
挿入方向に形成された回動軸周りに回動可能な回動部と、該回動部の外周側に配置され前記分岐管の内面と当接して閉塞可能な閉塞部と、前記回動部の先端側において回動可能となるように基端が前記回動部に軸支された係止部とを備え、
前記係止部の外方に、ガイド部が径方向に延設されており、前記係止部は、前記回動部の回動により前記ガイド部に沿って案内されることで、前記回動部の回動中心から前記係止部の先端までの係止寸が前記分岐口の半径より小寸の縮径状態と、前記係止寸が前記分岐口の半径より大寸の拡径状態とに、径方向に伸縮可能に構成されていることを特徴とする分岐管の閉塞装置。
【請求項２】
前記ガイド部は、前記拡径状態の前記係止部を両側方から挟持するように、所定の間隙寸を有して延設されていることを特徴とする請求項１に記載の分岐管の閉塞装置。
【請求項３】
前記ガイド部は、径方向に前記回動部の近方から遠方に向かって、前記間隙寸が漸次短く成るように延設されていることを特徴とする請求項２に記載の分岐管の閉塞装置。
【請求項４】
前記係止部は、前記回動部の回動軸を対称として一対に前記回動部に軸支されていることを特徴とする請求項１ないし３のいずれかに記載の分岐管の閉塞装置。
【発明の詳細な説明】
【技術分野】
【０００１】
本発明は、流体管に穿設された分岐口と連通する分岐管内に挿入され、この分岐管内を閉塞する分岐管の閉塞装置に関する。
【背景技術】
【０００２】
従来の分岐管の閉塞装置は、挿入方向に形成された回動軸周りに回動可能な回動部と、この回動部の外周側に配置され分岐管の内面と当接して閉塞可能な閉塞部と、回動部の先端側において分岐口の径よりも小寸若しくは大寸に伸縮可能に成るように、バネ体により構成された係止部とを備えている（例えば、特許文献１参照）。
【０００３】
また、他の従来の閉塞装置は、上記した回動部及び閉塞部と、分岐口の径よりも小寸若しくは大寸に伸縮可能に成るように、複数のアームを節点にて係合したリンク体により構成された係止部とを備えているものもある（例えば、特許文献２参照）。
【０００４】
【特許文献１】特開平１１−８２８５２号公報（第４頁、第６図）
【特許文献２】特公平７−８１６６９号公報（第５頁、第１図）
【発明の開示】
【発明が解決しようとする課題】
【０００５】
しかしながら、特許文献１にあっては、係止部がバネ体により構成されているため、構造が複雑になるばかりか、係止部を分岐口の径より大寸に拡径する際に、バネ体の付勢力に抗して回動部を回動する必要があった。
【０００６】
また、特許文献２にあっては、係止部がリンク体により構成されているため、構造が複雑になるばかりか、係止部を分岐口の径より大寸に拡径する際に、複数のアームを所定の方向に屈折できない場合があり、係止部が確実に拡径されない虞が生じていた。
【０００７】
本発明は、このような問題点に着目してなされたもので、シンプルな構造で簡便且つ確実に分岐口の径方向に伸縮できる係止部を備えた分岐管の閉塞装置を提供することを目的とする。
【課題を解決するための手段】
【０００８】
上記課題を解決するために、本発明の請求項１に記載の分岐管の閉塞装置は、
既設管に穿設された分岐口と連通する分岐管内に挿入され、該分岐管内を閉塞する分岐管の閉塞装置であって、
挿入方向に形成された回動軸周りに回動可能な回動部と、該回動部の外周側に配置され前記分岐管の内面と当接して閉塞可能な閉塞部と、前記回動部の先端側において回動可能となるように基端が前記回動部に軸支された係止部とを備え、
前記係止部の外方に、ガイド部が径方向に延設されており、前記係止部は、前記回動部の回動により前記ガイド部に沿って案内されることで、前記回動部の回動中心から前記係止部の先端までの係止寸が前記分岐口の半径より小寸の縮径状態と、前記係止寸が前記分岐口の半径より大寸の拡径状態とに、径方向に伸縮可能に構成されていることを特徴としている。
この特徴によれば、係止部が、縮径状態において閉塞装置を分岐管内に挿入した後に、回動部の回動により係止部をガイド部に沿って案内し、分岐口より大径の拡径状態として、分岐口が穿設された既設管の内周面に係止部を当接させることで、閉塞装置の挿入方向の位置決め若しくは戻り防止して、閉塞部による分岐管の閉塞が可能となるため、特段のバネ等の付勢手段を用いることなく、シンプルな構造で係止部を簡便且つ確実に分岐口の径方向に伸縮できる。
【０００９】
本発明の請求項２に記載の分岐管の閉塞装置は、請求項１に記載の分岐管の閉塞装置であって、
前記ガイド部は、前記拡径状態の前記係止部を両側方から挟持するように、所定の間隙寸を有して延設されていることを特徴としている。
この特徴によれば、係止部を両側方から挟持するように延設されたガイド部により係止部の回動を規制することで、拡径状態において不測の外力等により係止部が回動してしまうことなく、分岐口より大径に維持されるため、閉塞装置の挿入方向の位置決め若しくは戻り防止を確実にできる。
【００１０】
本発明の請求項３に記載の分岐管の閉塞装置は、請求項２に記載の分岐管の閉塞装置であって、
前記ガイド部は、径方向に前記回動部の近方から遠方に向かって、前記間隙寸が漸次短く成るように延設されていることを特徴としている。
この特徴によれば、回動部の近方から遠方に向かって、間隙寸が漸次短く成るように延設されたガイド部を利用して、係止部を回動部の回動により、縮径状態から拡径状態に向かってを円滑に案内するとともに、拡径状態において係止部の回動を規制できる。
【００１１】
本発明の請求項４に記載の分岐管の閉塞装置は、請求項１ないし３のいずれかに記載の分岐管の閉塞装置であって、
前記係止部は、前記回動部の回動軸を対称として一対に前記回動部に軸支されていることを特徴としている。
この特徴によれば、回動部の回動軸を対称として一対に軸支された係止部が、拡径状態において、分岐口が穿設された既設管の内周面にバランスよく当接するため、閉塞装置の挿入方向が分岐口に対しずれることなく位置決めできる。
【発明を実施するための最良の形態】
【００１２】
本発明の実施例を以下に説明する。
【実施例】
【００１３】
本発明の実施例を図面に基づいて説明すると、先ず図１は、地中に埋設された既設管の分岐接続管に副弁が取り付けられた状態を示す正面図である。図２は、フランジにナイフゲート装置が取り付けられた状態を示す正面図である。図３は、分岐接続管に置きコマ装置が取り付けられた状態を示す部分縦断正面図である。図４は、ナイフゲート装置をフランジに取り付けた状態を示す部分縦断正面図である。図５は、下部止水板をフランジに取り付けた状態を示す部分縦断正面図である。図６は、置きコマ装置を分岐接続管に取り付けた状態を示す部分縦断正面図である。図７は、置きコマ装置を分岐接続管の内方に挿入した状態を示す部分縦断正面図である。図８（ａ）は、係止部の縮径状態を示す下面図であり、（ｂ）は、係止部の拡径状態を示す下面図である。図９は、置きコマ装置により分岐接続管を閉塞した状態を示す縦断正面図である。
【００１４】
図１の符号１は、地中に埋設された既設管であり、この既設管１の上部には、コンクリート壁２によって囲まれた作業用穴３が形成されるとともに、この作業用穴３の上部には、作業者の進入用及び装置類の搬入用のマンホール穴４が形成されている。尚、作業用穴３の内径は上方に行くに従い次第に小さくなっているとともに、マンホール穴４の内径は作業用穴３の内径よりも小さくなっている。
【００１５】
図１に示すように、既設管１の上部には、分岐部５が形成されており、分岐部５には、分岐管としての分岐接続管６が形成された蓋体７が取り付けられている。この分岐接続管６の上端部には、本実施例における管接続部材としての副弁８が取り付けられるとともに、副弁８の上端部には、空気弁９が取り付けられている。尚、分岐接続管６と副弁８と空気弁９との間には、止水パッキンが配置されるとともに、各々の端部に形成されたフランジ１４、１５、１６、１７同士がボルト１８、１９及びナット２０、２１によって連結されている。
【００１６】
副弁８には、その内部に設けられた弁体（図示略）を開閉操作するための取手２２が設けられており、この副弁８を閉じた状態にすれば、既設管１の不断流状態を維持しながら空気弁９を交換することができる。しかし、長年の使用により副弁８が老朽化した場合などには、副弁８の開閉操作が行い難くなる場合があり、その際には副弁８自体の交換作業を行う必要がある。
【００１７】
図２に示すように、既設管１の不断流状態を維持しながら副弁８の取外作業を行う際には、分岐接続管６と副弁８とに設けられた両フランジ１４、１５、すなわち分岐接続管６と副弁８との連結部に弁装置２３を取り付けるようになっている。この弁装置２３は、上部止水板２４とナイフゲート装置２５と下部止水板２６とで構成されている。
【００１８】
次に、既設管１の不断流状態を維持しながら分岐接続管６に取り付けられた副弁８を取り外す際の弁装置２３の使用例を説明する。
【００１９】
先ず図４に示すように、副弁８のフランジ１５と分岐接続管６のフランジ１４とを連結している複数組の既存のボルト１８とナット２０（図１参照）を１組づつ作業ボルト５９と袋ナット６０に交換していく。尚、ボルト１８とナット２０は１組づつ交換されるため、フランジ１４、１５同士の間から多量の水が流出することを防止しつつ、全てのボルト１８とナット２０を作業ボルト５９と袋ナット６０とに交換できる。既設されたボルト１８とナット２０は長年の使用により錆等が発生して回動し難くなっているため、新たに作業ボルト５９と袋ナット６０とに交換することで副弁８の取外作業を行い易くなる。
【００２０】
尚、袋ナット６０には、副弁８のフランジ１５との接合面に止水パッキンが設けられている。そのため作業ボルト５９の先端部及び作業ボルト５９が挿通されたフランジ１５の挿通孔６２は、袋ナット６０により水密に覆われる。そして、マンホール穴４から２つに分割された上部止水板２４を搬入し、各々の上部止水板２４を副弁８のフランジ１５の外周に取り付ける。
【００２１】
また、上部止水板２４は、押付片３２が袋ナット６０に係合される位置に取り付けられ、袋ナット６０は押付片３２によってフランジ１５の上面に上方から押し付けられた状態で配置される。また、上部止水板２４の下面側に形成された垂下片３３は、フランジ１５の外周面を覆うように配置される。更に、分割された上部止水板２４の図示しない緊締部同士を当接させてボルト・ナットにより水密に連結する。
【００２２】
ナイフゲート装置２５のケース体３４は、２つに分割された状態でマンホール穴４から搬入される。作業者は、フランジ１４、１５の外周と略同径の孔部を成すケース体３４の切欠部４０を、フランジ１４、１５の外周を覆うように配置し、分割されたケース体３４の図示しない緊締部同士を当接させてボルト・ナットにより水密に連結する。そして、ケース体３４の上面に突設された埋込ボルト４１を上部止水板２４の挿通孔３１に挿通し、埋込ボルト４１の先端部にナット４２が螺合されることで、ケース体３４は上部止水板２４に吊り下げられた状態で連結される。
【００２３】
次に、２枚の弁体３５、３５を各々のケース体３４の側面に開口されたスリット孔４５から弁体３５をケース体３４内に挿入するとともに、弁体３５の外端部の屈曲片４７に設けられた挿通孔（図示略）内に弁軸４４を挿通させ、弁軸４４の先端部に操作ナット４８を螺合する。尚、スリット孔４５に挿入された弁体３５の内端部は、上部止水板２４の垂下片３３に当接される。ケース体３４及び弁体３５を別々にマンホール穴４から搬入することで、ナイフゲート装置２５の搬入作業が行い易くなっている。
【００２４】
図５に示すように、２つに分割された状態の下部止水板２６を分岐接続管６のフランジ１４に下方から取り付け、分割された下部止水板２６の図示しない緊締部同士を当接させてボルト・ナットにより水密に連結する。
【００２５】
尚、下部止水板２６は、ソケット部材５６がフランジ１４に取り付けられた作業ボルト５９のボルト頭に嵌合する位置に取り付けられ、ソケット部材５６が作業ボルト５９を水密に覆うようになっている。そして、下部止水板２６の挿通孔５５に挿通されたボルト５４が、ケース体３４のナット部４３に螺合されることで、下部止水板２６はケース体３４に吊り下げられた状態で連結される。また、下部止水板２６の下面と蓋体７の上面との間には、固定用ジャッキ６８が設けられるようになっており、この固定用ジャッキ６８によって下部止水板２６が上下動しないように固定される。
【００２６】
次に、作業者は下部止水板２６のソケット部材５６の操作部５７にスパナ等を嵌合させて、ソケット部材５６を回転させることで作業ボルト５９を回動させる。袋ナット６０は上部止水板２４の押付片３２に係合されているため、ソケット部材５６が回動されると、作業ボルト５９の先端部が袋ナット６０から取り外される。袋ナット６０から取り外された作業ボルト５９は、ソケット部材５６の下部まで落ちるようになっている。
【００２７】
次に、ケース体３４の埋込ボルト４１に螺合されているナット４２を緩めると、分岐接続管６及び副弁８との間から既設管１内の水が流出し始める。流出した水は、上部止水板２４とケース体３４と下部止水板２６とで囲まれた領域内を満たすようになり、該領域内の水圧の上昇により、副弁８のフランジ１５が上方に押し上げられて、副弁８が分岐接続管６から離間される。
【００２８】
そして、副弁８の上昇とともに、上部止水板２４が上昇され、上部止水板２４の垂下片３３によって閉鎖されていたスリット孔４５の内側が開口され、弁体３５がスリット孔４５からケース体３４の内方に挿入できるようになる。そして、副弁８と分岐接続管６との間に所定幅の間隙が形成された状態で、作業者は弁軸４４の操作ナット４８を回動させて弁体３５を左右両側方からケース体３４内部に径方向に押し込でいく。
【００２９】
尚、左右方向からケース体３４内部に挿入された弁体３５、３５同士は、その内端部に設けられた止水パッキン４６、４６同士が当接されるようになっている。この２つの弁体３５によってケース体３４内部は、副弁８側及び分岐接続管６側の上下２つに区切られるようになっており、分岐接続管６から副弁８側への水流が止められる。
【００３０】
図６に示すように、分岐接続管６の止水がされた状態で、ケース体３４の埋込ボルト４１に螺合されたナット４２を取り外し、上部止水板２４をケース体３４から取り外すとともに、空気弁９と副弁８を取り外す。そして、ケース体３４に密封ケース６９で囲まれた本実施例の閉塞装置としての置きコマ装置７０を取り付ける。
【００３１】
図３及び図６に示すように、置きコマ装置７０は、密封ケース６９により水密に覆われており、密封ケース６９はその下端部に埋込ボルト４１に連結された合いフランジ７１が取り付けられている。この合いフランジ７１を介して密封ケース６９はケース体３４に取り付けられる。尚、ケース体３４と合いフランジ７１と密封ケース６９とで囲まれた領域は水密に密封される。
【００３２】
置きコマ装置７０は、爪拡張軸７３と連結された回動軸Ｃ周りに回動可能な回動部としてのスピンドル７２と、固定軸７５と連結されたスリーブ７４と、ラチェットレンチ７７と連結されたケースパイプ７６とを備えており、回動軸Ｃと同軸に内側からスピンドル７２、スリーブ７４、ケースパイプ７６の順に設けられている。スピンドル７２は、その下端部において係止部としての置きコマ用爪７８へと繋がっているとともに、スリーブ７４は後述のように分岐接続管６の内面と当接して閉塞可能な閉塞部としての置きコマ用ゴム７９を押圧する押圧体８０へと繋がっている。作業者は、置きコマ装置７０の上端部に設けられた爪拡張軸７３、ラチェットレンチ７７を操作することで、後述のように置きコマ用ゴム７９や置きコマ用爪７８を操作できるようになっている。
【００３３】
図８（ａ）、（ｂ）に示されるように、スピンドル７２の下端部には、スピンドル７２と一体に回動する円形の回動板７２ａが構成されるとともに、回動軸Ｃを対称として一対となるように、２つの置きコマ用爪７８、７８は、その基端が夫々止めネジ８２、８２により回動板７２ａに軸支されている。また、夫々の置きコマ用爪７８の下面視両側方には、スリーブ７４の下端部を構成する支持体８１と一体のガイド部８３、８３が、径方向に延設されており、置きコマ用爪７８は、スピンドル７２の回動によりガイド部８３に沿って案内されることで、スピンドル７２の回動中心から置きコマ用爪７８の先端までの係止寸ａが分岐口の半径ｒより小寸の縮径状態（図８（ａ）参照）と、係止寸ａ’が分岐口の半径ｒより大寸の拡径状態（図８（ｂ）参照）とに、径方向に伸縮可能に構成されている。
【００３４】
また、ガイド部８３、８３は、拡径状態の置きコマ用爪７８を両側方から挟持するように、所定の間隙寸ｂを有して延設されている。尚、ガイド部は、拡径状態の係止部を両側方から挟持していれば、必ずしも本実施例のように、別体からなる２つのガイド部８３、８３で構成されるものに限られず、例えば、所定の間隙寸を有する内空部を備えたダクト形状のガイド部が径方向に延設されており、該内空部にガイド部を挿通するとともに、該内空部により拡径状態の係止部を両側方から挟持していてもよい。
【００３５】
更に、ガイド部８３、８３は、径方向にスピンドル７２の近方から遠方に向かって、間隙寸ｂが漸次短く成るように、置きコマ用爪７８の両側方に略対称に延設されている。
【００３６】
次に、置きコマ装置７０の動作について説明すると、図７に示されるように、ナイフゲート装置２５の両弁体３５を弁軸４４の操作ナット４８ａ、４８ａを回動することで、互いに左右方向に離間させて開放する。分岐接続管６から流れ出る水は、密封ケース６９内に流入されるが、ケース体３４と合いフランジ７１と密封ケース６９とで囲まれた領域は水密に密封されているため、外部に流出されないようになっている。そして、置きコマ装置７０の置きコマ用ゴム７９を分岐接続管６の内部に向けて挿入する。
【００３７】
図９に示されるように、置きコマ用ゴム７９を分岐接続管６内部に挿入し、先端側の置きコマ用爪７８が分岐口１０より内方に進入した後、爪拡張軸７３を回転操作することで置きコマ用爪７８を拡張させると、置きコマ用爪７８が蓋体７の内面７ａに係止される。ここで、置きコマ用爪７８を拡張させた状態に保持する図示しない回動規制部が、スピンドル７２上部の爪拡張軸７３側に設けられており、前記回動規制部を所定に作動させて、後述する分岐接続管６の閉塞の際に、置きコマ用爪７８を拡張させた状態に保持する。そして、置きコマ用爪７８が蓋体７の内面７ａに係止された状態で、固定軸７５を固定しつつ、ラチェットレンチ７７を回転操作すると、押圧体８０が支持体８１に対して相対的に近づくように下方に下がり、押圧体８０と支持体８１との間に挟み込まれた置きコマ用ゴム７９が径方向に膨出して、分岐接続管６の内周面６ａに当接し、置きコマ用ゴム７９によって分岐接続管６が閉塞される。
【００３８】
置きコマ用ゴム７９による分岐接続管６の閉塞後に、ナイフゲート装置２５及び下部止水板２６を分岐接続管６から取り外す。尚、爪拡張軸７３、固定軸７５、ラチェットレンチ７７は着脱自在となっており、この爪拡張軸７３、固定軸７５、ラチェットレンチ７７を取り外すことで、密封ケース６９を上方に移動させて置きコマ装置７０から取り外すことができる。そして、分岐接続管６には、例えば、新しい副弁や空気弁を取り付けられるようになる。
【００３９】
以上、本実施例の置きコマ装置７０によれば、置きコマ用爪７８の外方に、ガイド部８３が径方向に延設されており、置きコマ用爪７８は、スピンドル７２の回動によりガイド部８３に沿って案内されることで、スピンドル７２の回動中心から置きコマ用爪７８の先端までの係止寸ａが分岐口１０の半径より小寸の縮径状態と、係止寸ａ’が分岐口１０の半径より大寸の拡径状態とに、径方向に伸縮可能に構成されており、このようにすることで、置きコマ用爪７８が、縮径状態において置きコマ装置７０を分岐接続管６内に挿入した後に、スピンドル７２の回動により置きコマ用爪７８をガイド部８３に沿って案内し、分岐口１０より大径の拡径状態として、分岐口１０が穿設された既設管の内周面に置きコマ用爪７８を当接させることで、置きコマ装置７０の挿入方向の位置決め若しくは戻り防止して、置きコマ用ゴム７９による分岐管の閉塞が可能となるため、特段のバネ等の付勢手段を用いることなく、シンプルな構造で置きコマ用爪７８を簡便且つ確実に分岐口１０の径方向に伸縮できる。
【００４０】
ガイド部８３は、拡径状態の置きコマ用爪７８を両側方から挟持するように、所定の間隙寸ｂを有して延設されており、このようにすることで、置きコマ用爪７８を両側方から挟持するように延設されたガイド部８３により置きコマ用爪７８の回動を規制することで、拡径状態において不測の外力等により置きコマ用爪７８が回動してしまうことなく、分岐口１０より大径に維持されるため、置きコマ装置７０の挿入方向の位置決め若しくは戻り防止を確実にできる。
【００４１】
また、ガイド部８３は、径方向にスピンドル７２の近方から遠方に向かって、間隙寸ｂが漸次短く成るように延設されており、このようにすることで、スピンドル７２の近方から遠方に向かって、間隙寸ｂが漸次短く成るように延設されたガイド部８３を利用して、置きコマ用爪７８をスピンドル７２の回動により、縮径状態から拡径状態に向かってを円滑に案内するとともに、拡径状態において置きコマ用爪７８の回動を規制できる。
【００４２】
更に、置きコマ用爪７８は、スピンドル７２の回動軸Ｃを対称として一対にスピンドル７２に軸支されており、このようにすることで、スピンドル７２の回動軸Ｃを対称として一対に軸支された置きコマ用爪７８が、拡径状態において、分岐口１０が穿設された既設管の内周面にバランスよく当接するため、置きコマ装置７０の挿入方向が分岐口１０に対しずれることなく位置決めできる。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
例えば、上記実施例では、副弁８の取外作業を行う際に、分岐接続管６と副弁８との連結部に取付ける弁装置２３は、径方向に分割構造を有する弁体３５、３５を備え、左右両方向に開閉するナイフゲート装置２５を構成しているが、ナイフゲート装置の構造は、例えば、単一の弁体を備える公知のナイフゲート装置であってもよい。また、特段にナイフゲート装置を構成せず、例えば既存の副弁の開閉を利用して、置きコマ装置を取付けてもよい。その他、弁装置の詳細な構造については上記実施例に限られず、分岐管と接続部品との連結部に取付けられ、この連結部を水密に開閉できるものであれば、他の公知の弁装置でもよい。
【００４５】
また、上記実施例では、空気弁９の下方に取付けられた副弁８の交換作業に際し、上述した弁装置２３ないし置きコマ装置７０が取付けられているが、既設管と連通する分岐管を介して接続された付属部品であれば、必ずしも副弁８に限られるものではなく、例えば、分岐接続管６に直接に接続された空気弁であってもよいし、また圧力ゲージ等であってもよい。
【００４６】
また、上記実施例では、係止部としての置きコマ用爪７８は、回動部としてのスピンドル７２の回動軸Ｃを対称として一対にスピンドル７２に軸支されているが、係止部の個数及び配置については、必ずしも回動軸を対称として一対であるものに限られず、所定間隔に３個以上の係止部が設けられていてもよい。
【００４７】
更に、上記実施例では、ガイド部８３、８３は、径方向にスピンドル７２の近方から遠方に向かって、間隙寸ｂが漸次短く成るように、置きコマ用爪７８の両側方に略対称に延設されているが、例えば、置きコマ用爪の一方側のガイド部が、径方向にスピンドルの近方から遠方に向かって、置きコマ用爪に接近するようにテーパ状に延設されているとともに、置きコマ用爪の他方側のガイド部が、径方向にスピンドルの近方から遠方に向かって、伸縮する置きコマ用爪と略平行に延設されており、即ち、両側方のガイド部が、置きコマ用爪に対し非対称に延設されていてもよい。このようにすることで、置きコマ用爪が、前記一方側のガイド部を利用して伸縮可能とするとともに、前記他方側のガイド部を壁面として利用して、拡張した状態を維持するようにしてもよい。
【図面の簡単な説明】
【００４８】
【図１】地中に埋設された既設管の分岐接続管に副弁が取り付けられた状態を示す正面図である。
【図２】フランジにナイフゲート装置が取り付けられた状態を示す正面図である。
【図３】分岐接続管に置きコマ装置が取り付けられた状態を示す部分縦断正面図である。
【図４】ナイフゲート装置をフランジに取り付けた状態を示す部分縦断正面図である。
【図５】下部止水板をフランジに取り付けた状態を示す部分縦断正面図である。
【図６】置きコマ装置を分岐接続管に取り付けた状態を示す部分縦断正面図である。
【図７】置きコマ装置を分岐接続管の内方に挿入した状態を示す部分縦断正面図である。
【図８】（ａ）は、係止部の縮径状態を示す下面図であり、（ｂ）は、係止部の拡径状態を示す下面図である。
【図９】置きコマ装置により分岐接続管を閉塞した状態を示す縦断正面図である。
【符号の説明】
【００４９】
１                既設管
２                コンクリート壁
３                作業用穴
４                マンホール穴
５                分岐部
６                分岐接続管（分岐管）
６ａ              内周面
７                蓋体
７ａ              内面
８                副弁
９                空気弁
１０              分岐口
１４、１５        フランジ
１６、１７        フランジ
１８、１９        ボルト
２０、２１        ナット
２２              取手
２３              弁装置
２４              上部止水板
２５              ナイフゲート装置
２６              下部止水板
２８              挿通孔
３１              挿通孔
３２              押付片
３３              垂下片
３４              ケース体
３５              弁体
４０              切欠部
４１              埋込ボルト
４２              ナット
４３              ナット部
４４              弁軸
４５              スリット孔
４６              止水パッキン
４７              屈曲片
４８、４８ａ      操作ナット
５４              ボルト
５５              挿通孔
５６              ソケット部材
５７              操作部
５９              作業ボルト
６０              袋ナット
６２              挿通孔
６８              固定用ジャッキ
６９              密封ケース
７０              置きコマ装置（閉塞装置）
７１              合いフランジ
７２              スピンドル（回動部）
７２ａ            回動板
７３              爪拡張軸
７４              スリーブ
７５              固定軸
７６              ケースパイプ
７７              ラチェットレンチ
７８              置きコマ用爪（係止部）
７９              置きコマ用ゴム（閉塞部）
８０              押圧体
８１              支持体
８２              止めネジ
８３              ガイド部
【図１】
2008075675.tif 000003
【図２】
2008075675.tif 000004
【図３】
2008075675.tif 000005
【図４】
2008075675.tif 000006
【図５】
2008075675.tif 000007
【図６】
2008075675.tif 000008
【図７】
2008075675.tif 000009
【図８】
2008075675.tif 000010
【図９】
2008075675.tif 000011